(57)【要約】【課題】洗濯物を干す際、物干ハンガーが風などにより回転し、衣類などが壁にこすれて汚れたり、物干台の高さが足らず丈の長いものを干せないといった不便を解決するための、物干ハンガーの補助具を提供する。【解決手段】本発明の物干ハンガーの補助具２０は、柔軟性のある部材によって構成される本体１に設けられるフック２を備えている。本体１には、係合部３，４と、本体１を湾曲した際、係合部３，４に係脱可能な係止部５，６，７，８が形成されていることを特徴とする。【選択図】図１
2007330739.tif 000002
【特許請求の範囲】
【請求項１】
柔軟性のある部材によって構成される本体に設けられるフックを備え、
前記本体には、係合部と、前記本体を湾曲した際、前記係合部に係脱可能な係止部が形成されていることを特徴とする物干ハンガーの補助具。
【請求項２】
前記本体は、前記係止部を備えた一対の脚部と、前記係合部を備えた基部とを有することを特徴とする請求項１の物干しハンガーの補助具。
【発明の詳細な説明】
【技術分野】
【０００１】  本発明は、洗濯物を干す際に物干ハンガーが風などにより回転し、衣類などが壁にこすれて汚れたり、物干台の高さが足らず丈の長いものを干せないといった不便を解決するための、物干ハンガーの補助具に関するものである。
【背景技術】
【０００２】  従来、洗濯物を乾燥する際に用いられる物干しハンガーは、ハンガー本体に多数の洗濯バサミ（ピンチ）を装着し、これをフックによって物干し竿に引っ掛ける構成となっている。このような物干しハンガーは、強風によって回転し易いことから、風による回転を防ぐ補助具や、縦スペースを有効に活用できるようにした補助具を物干ハンガー本体に付属した商品があることは知られている。
【発明の開示】
【発明が解決しようとする課題】
【０００３】  そのために、次のような問題点があった。
（イ）補助具が、物干ハンガー本体に付属しており取り外し不可能であるため、回転を防いだり、縦スペースを有効活用しようとするためには、既に所有している物干ハンガーから、補助具付の物干ハンガーに買い替えなければならない。
（ロ）補助具付きの物干ハンガーは種類が少ない為、大きさや形などを選ぶことができない。
本発明はこれらの問題点を解決するためになされたものであり、補助具を付属していない既存の物干しハンガーであっても、風による回転を防ぐことができ、更には、縦スペースを有効に活用することを可能にする、物干しハンガーの補助具を提供することを目的とする。
【課題を解決するための手段】
【０００４】  上記した目的を達成するために、本発明に係る物干しハンガーの補助具は、柔軟性のある部材によって構成される本体に設けられるフックを備えており、前記本体には、係合部と、前記本体を湾曲した際、前記係合部に係脱可能な係止部が形成されていることを特徴とする。
【発明の効果】
【０００５】  本発明に係る物干しハンガーの補助具は、既存の物干しハンガー本体に対して、柔軟性のある本体を湾曲して巻き込んで係止部を係合部に係合させ、この状態でフックを物干し竿等に引っ掛けることで、物干しハンガー本体の回転を防止することが可能になる。また、このような補助具を装着することで、縦スペースを有効活用することが可能となり、取り外し可能の為、複数の物干ハンガーを所有している場合、洗濯物の量などに応じて付け替えが可能である。
【発明を実施するための最良の形態】
【０００６】  以下、本発明の実施の形態について説明する。
図１及び図２は、本発明にかかる物干ハンガーの補助具（以下、補助具と称する）の一実施形態を示す図であり、図１は正面図、図２は斜視図である。
補助具２０は、柔軟性の部材、例えば、合成樹脂によって形成された本体１を備えている。本体１の形状は、特に限定されることはないが、図に示すように、一対の脚部１ａと、この一対の脚部１ａの基端となる基部１ｂとを備えた、コの字型形状に構成されている。【０００７】  前記本体１の基部１ｂには、物干し竿等に引っ掛けられるフック２が設けられている。また、基部１ｂには、係合部３，４が設けられており、各脚部１ａには、本体１を湾曲させた際、前記係合部３，４に係合される係止部５，６，７，８が形成されている。【０００８】  前記係合部３，４及び係止部５，６，７，８は、本体１を湾曲させた際、係合される関係であれば良く、本実施形態では、係合部３，４は、軸部３ａ，４ａと、軸部３ａ，４ａの頂部に形成される頭部３ｂ，４ｂを備えた円柱状の突起によって構成され、係止部５，６，７，８は、このような突起に嵌り込んで、脚部１ａを固定状態に維持する孔部、いわゆるだるま孔によって構成されている。すなわち、脚部１ａを基部１ｂに対して重ねるように湾曲し、突起の頭部３ｂ，４ｂをだるま孔の大きい孔に通過させ、その状態で脚部１ａを下方に引き下げることで、だるま孔の小さい孔に軸部３ａ，４ａが係合して、本体１の湾曲状態が維持される（図５参照）。【０００９】  なお、図に示すように、係止部５，６，７，８を、縦方向に複数個設けておくことで、係止部（５，６）、又は係止部（７，８）のいずれかを選択することができ、縦方向の長さを調節することが可能となる。【００１０】  本実施形態の補助具２０を使用するときには、図４に示すように、２個１組で使用する。まず１個を使用し、本体１を湾曲させ、物干ハンガー枠体１０の側面中央部を挟み、係合部３と係止部７を、係合部４と係止部８をそれぞれ係合させる。同様にして、もう１個の補助具２０についても、反対側の物干ハンガー枠体１０の側面中央部に装着する。そして、それぞれの補助具２０のフック２を物干竿１１へ掛け、この状態でピンチ１２を使用し、洗濯物を干す。【００１１】  このような補助具２０によれば、既存する各種の物干しハンガーに装着することができ、強風が生じても、物干ハンガー枠体１０の回転を防止することができる。また、本体１の長さにより、物干しハンガー枠体１０の高さ方向の位置を変えることができ、縦スペースを有効活用することが可能となる。また、図１に示すように、係止部であるだるま孔を縦方向に複数設けることで、湾曲させた際の本体の長さを調節することが可能となり、物干しハンガー枠体の側面部のサイズ、形状により調整することができる。【００１２】  さらに、本実施形態では、本体１を、一対の脚部１ａを有するコの字型形状に構成したことで、図５に示すように、物干ハンガー枠体１０の中央部分に補助枠１０Ａが形成されているような物干しハンガーであっても、安定した状態で装着することが可能となり、汎用性が広がる。【００１３】  以上、本発明の実施形態について説明したが、本発明は、上記した実施形態以外にも適宜変形することが可能である。例えば、上記した係止部と係合部は、一例を示したに過ぎず、単なる突起と凹所によって構成したり、面ファスナで構成する等、適宜変形することが可能である���また、図３に示すように、本体１に設けられるフックについては、いわゆるキャッチフック９によって構成しても良い。
【図面の簡単な説明】
【００１４】
【図１】本発明にかかる補助具の一実施形態を示す図であり、正面図。
【図２】図１に示す補助具の斜視図。
【図３】補助具の他の実施形態を示す平面図。
【図４】補助具の使用例を示す斜視図。
【図５】補助具の使用例を拡大して示す斜視図。
【符号の説明】
【００１５】１  本体
２  フック
３，４  係合部
５，６，７，８  係止部
９  キャッチフック
１０  物干ハンガー枠体
１１  物干し竿
１２  ピンチ
２０  補助具
【図１】
2007330739.tif 000003
【図２】
2007330739.tif 000004
【図３】
2007330739.tif 000005
【図４】
2007330739.tif 000006
【図５】
2007330739.tif 000007